(57)【要約】  【課題】簡素な構成で部品点数の増加を招来するのを防止しつつ、必要となるディスクの保持力と、ピックアップに必要とされる動作の速度とを十分に確保することによって、精度の良い安定した記録再生動作を行うことができるディスク記録再生装置を提供すること。  【解決手段】ディスク記録再生装置１００において、突起部１１２ａを有する複数の突起部材１１２と、複数の突起部材１１２に係合しながら回転することによって、回転中心と突起部１１２ａとの間の距離を変更するカム部材１１３と、突起部１１２ａをカム部材１１３の回転中心から遠ざかる方向に付勢する弾性部材１１４とを有し、突起部１１２ａをディスクの中心孔の内周部に係合させることによって、ディスクを保持するディスク保持機構１１０を備える。【選択図】図３
2006221802.tif 000002
【特許請求の範囲】
【請求項１】
突起部を有する複数の突起部材と、複数の前記突起部材に係合しながら回転することによって、回転中心と前記突起部との間の距離を変更するカム部材と、前記突起部を前記カム部材の回転中心から遠ざかる方向に付勢する付勢手段とを有するディスク保持機構を備え、前記ディスク保持機構は、前記突起部をディスクの中心孔の内周部に係合させることによって、前記ディスクを保持するようにしたディスク記録再生装置において、
前記カム部材に係合しながら移動することによって、前記カム部材を回転させるカム回転レバーと、前記回動レバーを一方向に付勢する付勢回動手段と、前記カム回転レバーに係合しながら回動し前記付勢回動手段の付勢力に抗して前記カム回転レバーを移動させる回動レバーとを備えたことを特徴とするディスク記録再生装置。
【請求項２】
ビデオレコーダに用いられることを特徴とする請求項１記載のディスク記録再生装置。
【発明の詳細な説明】
【技術分野】
【０００１】
本発明は、例えばコンパクトディスク等のディスクの記録及び／又は再生を行うディスク記録再生装置に関する。
【背景技術】
【０００２】
従来、ディスクの記録及び／又は再生を行うディスク記録再生装置としては、ディスクをターンテーブルに手動あるいは着脱機構によって着脱するものが知られている（例えば特許文献１、２参照）。
【特許文献１】特開平１０−２６９７２２号公報
【特許文献２】特開平１０−１３４４６２号公報
【０００３】
具体的には、ディスクをターンテーブルに手動で着脱するディスク記録再生装置として、利用者が、ディスクの中心孔の位置をターンテーブルの嵌合部の位置に合わせた後、ディスクを手動で強制的にターンテーブル側に押圧することによって、ディスクをターンテーブルに装着するとともに、ディスクを手動で強制的にターンテーブルから引き抜くことによって、ディスクをターンテーブルから分離するものが知られている。なお、このようなディスク記録再生装置においては、ディスク記録再生装置の利用者がディスクを手動で強制的にターンテーブル側に押圧すると、ターンテーブルの嵌合部に形成された複数の突起物が、ディスクの中心から遠ざかる方向に付勢しながらディスクの中心孔の内周部に係合することによって、ディスクを保持するようになっている。
【０００４】
また、ディスクをターンテーブルに着脱機構によって着脱するディスク記録再生装置として、ターンテーブル上に設けられ、バネによって付勢された可動式の複数の突起物が、ディスクの中心から遠ざかる方向に付勢しながらディスクの中心孔の内周部に係合することによって、ディスクを保持するとともに、ディスクの中心孔の内周部に対する係合を解除することによって、ディスクを分離するものが知られている。
【０００５】
以下、ディスクをターンテーブルに着脱機構によって着脱するディスク記録再生装置について、より詳細に説明する。
【０００６】
図１３及び図１４において、ディスク記録再生装置９００のディスク保持機構９１０のターンテーブル９１１にディスクが搭載される前、ディスク保持機構９１０の突起部材９１２の突起部９１２ａは、ターンテーブル９１１の嵌合部９１１ａの内部に収納されている。ここで、ディスク保持機構９１０は、ターンテーブル９１１と、ターンテーブル９１１上に搭載されたディスクの中心孔の内周部にディスクの中心から遠ざかる方向に付勢しながら係合することによって、ディスクを保持する突起部９１２ａを有する複数の突起部材９１２と、突起部材９１２に設けられた円柱部９１２ｂに係合するカム溝部９１３ａを有し、ターンテーブル９１１に形成された軸９１１ｂを支点としてターンテーブル９１１に回転可能に支持されたカム部材９１３と、突起部材９１２と同数設けられて、それぞれ突起部材９１２を付勢する複数のバネ９１４とから構成されている。
【０００７】
ターンテーブル９１１にディスクが搭載されると、図１５及び図１６に示すように、ディスクの記録再生を実行するピックアップ９２０が、ターンテーブル９１１に搭載されたディスク（図示していない。）の中心に近づく方向、即ち、矢印９００ａの方向に移動し、端面９２０ａで動力伝達レバー９３１と係合する。ピックアップ９２０は、動力伝達レバー９３１と係合した後も、矢印９００ａの方向に移動するので、ピックアップ９２０の動作力が伝達された動力伝達レバー９３１は、カム部材９１３を矢印９００ｂの方向に回転させる。カム部材９１３が矢印９００ｂの方向に回転すると、突起部材９１２に設けた円柱部９１２ｂが、カム部材９１３に溝幅が一定に設けられたカム溝部９１３ａをガイドにして、カム部材９１３に対して摺動するので、突起部９１２ａはディスクの中心から遠ざかる方向へ移動する。このとき、突起部材９１２が、バネ９１４によって、突起部９１２ａがディスクの中心から遠ざかる方向に付勢されているので、突起部９１２ａは、ディスクの中心から遠ざかる方向に付勢しながらディスクの中心孔の内周部に係合することによって、ディスクを保持することができる。
【０００８】
ディスクの保持が解除される場合には、図１３及び図１４に示すように、ピックアップ９２０が、ターンテーブル９１１に搭載されたディスクの中心から遠ざかる方向、即ち、矢印９００ｃの方向に移動し、係合部９２０ｂで動作切り替えレバー９３２と係合する。ピックアップ９２０は、動作切り替えレバー９３２と係合した後も、矢印９００ｃの方向に移動するので、ピックアップ９２０の動作力が伝達された動作切り替えレバー９３２は、動力伝達レバー９３１を介してカム部材９１３を矢印９００ｄの方向に回転させる。カム部材９１３が矢印９００ｄの方向に回転すると、突起部材９１２に設けた円柱部９１２ｂがカム部材９１３のカム溝部９１３ａをガイドにして摺動するので、突起部９１２ａはディスクの中心に近づく方向へ移動し、再びターンテーブル９１１の嵌合部９１１ａの内部に収納される。したがって、突起部９１２ａによるディスクの保持が解除され、ディスクがターンテーブル９１１から分離可能な状態となる。
【０００９】
なお、ディスクの記録再生状態においては、動作切り替えレバー９３２は動作切り替え機構（図示していない。）によってピックアップ９２０の係合部９２０ｂの移動経路から回避されるようになっているので、ピックアップ９２０が矢印９００ｄの方向に移動したとしても、ディスクがターンテーブル９１１から分離可能な状態となることはない。
【発明の開示】
【発明が解決しようとする課題】
【００１０】
しかしながら、上記従来のディスク記録再生装置９００においては、ピックアップ９２０を介して動力伝達レバー９３１を動作させるため、ディスク保持機構９１０の動作に必要な力を確保するためにピックアップ９２０の移動に対する動作トルクが増加し、ディスクの記録再生速度が遅くなるという問題があった。
【００１１】
そこで本発明は、必要となるディスクの保持力と、ピックアップに必要とされる動作の速度とを十分に確保することによって、精度の良い安定した記録再生動作を行うことができるディスク記録再生装置を提供することを目的とする。
【課題を解決するための手段】
【００１２】
上記課題を解決するために、本発明のディスク記録再生装置は、突起部を有する複数の突起部材と、複数の前記突起部材に係合しながら回転することによって、回転中心と前記突起部との間の距離を変更するカム部材と、前記突起部を前記カム部材の回転中心から遠ざかる方向に付勢する付勢手段とを有するディスク保持機構を備え、前記ディスク保持機構は、前記突起部をディスクの中心孔の内周部に係合させることによって、前記ディスクを保持するようにしたディスク記録再生装置において、前記カム部材に係合しながら移動することによって、前記カム部材を回転させるカム回転レバーと、前記回動レバーを一方向に付勢する付勢回動手段と、前記カム回転レバーに係合しながら回動し前記付勢回動手段の付勢力に抗して前記カム回転レバーを移動させる回動レバーとを備えている。この構成により、本発明のディスク記録再生装置は、ピックアップに必要とされる動作の速度を十分に確保することができ、精度の良い安定した記録再生動作を行うことができる。
【００１３】
また、本発明のディスク記録再生装置は、ビデオレコーダに用いられる構成を有している。この構成により、本発明のディスク記録再生装置を備えたビデオレコーダは、必要となるディスクの保持力と、ピックアップに必要とされる動作の速度とを十分に確保することによって、精度の良い安定した記録再生動作を行うことができるディスク記録再生装置を備えているので、耐振性及び耐衝撃性が高く、高アクセス、高転送レートを実現することができる。
【発明の効果】
【００１４】
以上説明したように、本発明によれば、必要となるディスクの保持力と、ピックアップに必要とされる動作の速度とを十分に確保することによって、精度の良い安定した記録再生動作を行うことができるディスク記録再生装置を提供することができる。
【発明を実施するための最良の形態】
【００１５】
以下、本発明の実施の形態について、図面を用いて説明する。
（第１の実施の形態）
まず、本実施の形態に係るディスク記録再生装置の構成について説明する。
【００１６】
図１において、ディスク記録再生装置１００は、ディスクを搭載するターンテーブル１１１を有してディスクを保持するディスク保持機構１１０と、ディスク保持機構１１０によって保持されたディスクの記録再生を行うピックアップ１２０と、ピックアップ１２０を駆動するための駆動手段としてのピックアップ駆動用モータ１２１と、回転動作をピックアップ１２０の移動方向に伝達するリードスクリュー１２２と、ピックアップ駆動用モータ１２１からリードスクリュー１２２に動力を伝達するギヤ列１３０とを備えている。
【００１７】
また、ディスク記録再生装置１００は、ディスク保持機構１１０に動力を伝達する動力伝達レバー１４０と、ディスクを保持する際、ターンテーブル１１１の回転を規制する付勢部材１５０と、これらの各構成を搭載するベース１６０と、ディスクの記録再生時以外の時にベース１６０をロックするロック手段１７０と、ターンテーブル１１１を駆動するためのターンテーブル駆動用モータ１８０（図２参照）と、ディスクの記録再生時に外部からの振動や衝撃を吸収するダンパー（図示していない。）とを備えている。
【００１８】
ディスク保持機構１１０は、図３〜図５に示すように、ターンテーブル１１１と、ターンテーブル１１１上に搭載されたディスクの中心孔の内周部にディスクの中心から遠ざかる方向に付勢しながら係合することによって、ディスクを保持する突起部１１２ａを有する複数の突起部材１１２と、突起部材１１２に設けられた円柱部１１２ｂに係合するカム溝部１１３ａを有し、ターンテーブル１１１に形成された軸１１１ａを支点としてターンテーブル１１１に回転可能に支持されたカム部材１１３と、突起部材１１２を付勢する付勢手段としての弾性部材１１４とから構成されている。ここで、突起部材１１２は、回転軸１１２ｃを中心に回転可能にターンテーブル１１１に保持されている。また、カム溝部１１３ａは、カム部材１１３の回転中心と突起部１１２ａとの間の距離が大きいときに突起部材１１２の円柱部１１２ｂに係合する部分、即ち、ターンテーブル１１１の軸１１１ａから離れた部分ほど溝幅が広くなっている。換言すると、カム溝部１１３ａは、カム部材１１３の回転中心と突起部１１２ａとの間の距離が大きくなるに従って、溝幅が広くなっている。また、弾性部材１１４は、外周端部に突起部材１１２と同数の腕部１１４ａが形成されており、腕部１１４ａの先端には曲げ部１１４ｂが形成されている。曲げ部１１４ｂは、それぞれ突起部材１１２の端面と接触し、常に突起部１１２ａをカム部材１１３の回転中心、即ち、ターンテーブル１１１の軸１１１ａから遠ざかる方向へ付勢している。
【００１９】
また、ギヤ列１３０は、図１及び図６に示すように、ピックアップ駆動用モータ１２１に取り付けられたギヤ１３１と、ギヤ１３１に接続するギヤ１３２と、ギヤ１３２に接続し、ピックアップ駆動用モータ１２１の駆動力をディスク保持機構１１０に伝達するか否かを切り替える切り替えギヤ１３３と、切り替えギヤ１３３に接続するギヤ１３４及びギヤ１３５とから構成されている。
【００２０】
なお、動力伝達レバー１４０は、カム部材１１３に係合しながら移動することによって、カム部材１１３を回転させるカム回転レバーを構成しており、切り替えギヤ１３３は、ピックアップ駆動用モータ１２１の駆動力を動力伝達レバー１４０に伝達させるか否かを切り替える動力切り替え機構を構成している。
【００２１】
次に、本実施の形態に係るディスク記録再生装置の動作について説明する。
【００２２】
ターンテーブル１１１にディスクが搭載される前、ピックアップ１２０は図１に示す位置に待機しているとともに、ベース１６０がロック手段１７０によってロックされ、ダンパーの機能は不能となっている。また、ギヤ列１３０内の切り替えギヤ１３３は、ロック手段１７０の先端部１７０ａによって、動力伝達レバー１４０の動力入力部１４１に設けられた入力ラック１４１ａとギヤ１３４を介して接続するように位置規制されている。切り替えギヤ１３３がギヤ１３４を介して入力ラック１４１ａと接続するように位置規制されていると、ピックアップ駆動用モータ１２１の駆動力が、ギヤ１３１、ギヤ１３２、切り替えギヤ１３３、ギヤ１３４を介して動力伝達レバー１４０に伝達されるので、動力伝達レバー１４０は図１に示すように位置規制されている。動力伝達レバー１４０が図１に示すように位置規制されている場合、図２に示すように付勢部材１５０のターンテーブル回転規制部１５０ａがターンテーブル１１１の凹部１１１ｂに係合してターンテーブル１１１の回転を規制するとともに、図１に示すように動力伝達レバー１４０の動力出力部１４２に設けられた出力ラック１４２ａがカム部材１１３を矢印１００ａの方向に回転して保持する。したがって、図３に示すように、突起部材１１２の円柱部１１２ｂは、カム部材１１３のカム溝部１１３ａに沿ってターンテーブル１１１の軸１１１ａに近づく方向に引き寄せられており、突起部１１２ａは、ターンテーブル１１１の嵌合部１１１ｃの内部に収納されている。
【００２３】
ディスク記録再生装置１００が図１に示す状態であるとき、ターンテーブル１１１にディスクが搭載されると、図示していない感知手段によって、ディスクがターンテーブル１１１上に搭載されたことが感知され、ピックアップ駆動用モータ１２１が、ギヤ１３１、ギヤ１３２、切り替えギヤ１３３、ギヤ１３４を介して、動力伝達レバー１４０を矢印１００ｂの方向へ移動させるように回転する。
【００２４】
動力伝達レバー１４０が矢印１００ｂの方向へ移動し、ディスク記録再生装置１００が図７に示す状態になるとき、動力伝達レバー１４０の動力出力部１４２に設けられた出力ラック１４２ａがカム部材１１３を矢印１００ｃの方向に回転させる。したがって、図８に示すように、突起部材１１２の円柱部１１２ｂがカム部材１１３のカム溝部１１３ａに沿ってターンテーブル１１１の軸１１１ａから遠ざかる方向に移動させられ、突起部材１１２の突起部１１２ａが、ターンテーブル１１１の嵌合部１１１ｃから外部に突出する。
【００２５】
そして、突起部材１１２は、弾性部材１１４に形成された突起部材１１２と同数の曲げ部１１４ｂに、突起部１１２ａがターンテーブル１１１の軸１１１ａから遠ざかる方向に付勢されているので、ディスクの中心孔の内周部に係合し、ディスクをターンテーブル１１１に保持することができる。ここで、カム溝部１１３ａは、カム部材１１３の回転中心と突起部１１２ａとの間の距離が大きくなるに従って溝幅が広くなっているので、突起部１１２ａがターンテーブル１１１の軸１１１ａから遠ざかる方向に移動する際、複数の突起部１１２ａの何れかが先にディスクと係合したとしても、カム部材１１３は回転動作を継続することができる。したがって、ディスク記録再生装置１００においては、全ての突起部１１２ａがディスクと係合することが可能である。
【００２６】
また、ディスク記録再生装置１００が図７に示す状態になると、動力伝達レバー１４０の凸部１４０ａによって付勢部材１５０のターンテーブル回転規制部１５０ａ（図２参照）がターンテーブル１１１の凹部１１１ｂ（図２参照）との係合を解除する方向に押圧され、ターンテーブル１１１の回転に対する規制が解除される。更に、ベース１６０をロックしていたロック手段１７０の移動に伴い、切り替えギヤ１３３は、ギヤ付勢バネ１３９によって動力伝達レバー１４０との係合が解除される位置（図７参照）へ移動する。これによって、ピックアップ駆動用モータ１２１から伝達される動力は、ギヤ１３１、ギヤ１３２、切り替えギヤ１３３、及び、ギヤ１３５（図６参照）を介してピックアップ１２０のみに伝達されるとともに、ベース１６０のロックが解除され、ダンパーの機能が回復されてディスクの記録再生が可能となる。
【００２７】
ディスクの保持を解除する際には、再びロック手段１７０が矢印１００ｄの方向に移動してベース１６０をロックすることによって、ディスク保持機構１１０は図１に示す状態に戻る。
【００２８】
このように本実施の形態では、弾性部材１１４を一部品で構成しているため、部品点数を増加させることなく、簡素な構成で組立て作業も容易となる。また、カム部材１１３のカム溝部１１３ａが、カム部材１１３の回転中心と突起部１１２ａとの間の距離が大きくなるに従って溝幅が広くなっているので、全ての突起部１１２ａがディスクと係合することができ、必要となるディスクの保持力を十分に確保することができる。さらに、切り替えギヤ１３３を用いることによって、ピックアップ１２０を駆動するピックアップ駆動用モータ１２１の駆動力で、ターンテーブル１１１上のディスクの保持、記録再生及び解除を行うことができるので、ピックアップ１２０に必要とされる動作の速度を確保することができ、精度の良い安定した記録再生を行うことができる。
（第２の実施の形態）
まず、本実施の形態に係るディスク記録再生装置の構成について説明する。なお、第１の実施の形態に係るディスク記録再生装置の構成とほぼ同様な構成については、第１の実施の形態において使用した符号と同一の符号を付して詳細な説明を省略する。
【００２９】
図９及び図１０において、ディスク記録再生装置２００は、ディスク保持機構１１０に動力を伝達する動力伝達レバー２４０と、回転軸２９１ａを中心に回動可能にベース１６０に支持されるとともに、端部２９１ｂで動力伝達レバー２４０に回動可能に係合し、端部２９１ｃでバネ２９２によって付勢される回動レバー２９１と、回動レバー２９１の端部２９１ｄと係合し回転軸２９３ａを中心に回動可能に支持された切り替えレバー２９３とを備えている。
【００３０】
なお、動力伝達レバー２４０は、カム部材１１３に係合しながら移動することによって、カム部材１１３を回転させるカム回転レバーを構成しており、バネ２９２は、回動レバー２９１に付勢力を与えて回動レバー２９１を一方向に回動させる付勢回動手段を構成している。
【００３１】
次に、本実施の形態に係るディスク記録再生装置の動作について説明する。
【００３２】
ターンテーブル１１１にディスクが搭載される前、ピックアップ１２０は図９に示す位置に待機しているとともに、切り替えレバー２９３が、ディスクのディスク記録再生装置２００への挿排を行うローディング機構、ディスクをターンテーブル１１１へ移動及び載置を行うガイド機構、その他ディスク記録再生装置２００の構成部品を一連の動作で駆動するモータ（いずれも図示せず）によって駆動されて位置規制されている。切り替えレバー２９３が図９に示すように位置規制されていると、動力伝達レバー２４０も、回動レバー２９１を介して図９に示すように位置規制される。動力伝達レバー２４０が図９に示すように位置規制されると、図２に示すように付勢部材１５０のターンテーブル回転規制部１５０ａがターンテーブル１１１の凹部１１１ｂに係合してターンテーブル１１１の回転を規制するとともに、図９に示すように動力伝達レバー２４０の動力出力部２４２に設けられた出力ラック２４２ａがカム部材１１３を矢印２００ａの方向に回転して保持する。したがって、図３に示すように、突起部材１１２の円柱部１１２ｂがカム部材１１３のカム溝部１１３ａに沿ってターンテーブル１１１の軸１１１ａに近づく方向に引き寄せられ、突起部１１２ａは、ターンテーブル１１１の嵌合部１１１ｃの内部に収納される。
【００３３】
ディスク記録再生装置２００が図９に示す状態であるとき、ターンテーブル１１１にディスクが搭載されると、図示していない感知手段によって、ディスクがターンテーブル１１１上に搭載されたことが感知され、回動レバー２９１の回転を規制していた切り替えレバー２９３が、規制を解除する方向に回転する。すると、回動レバー２９１は、バネ２９２によって動力伝達レバー２４０を矢印２００ｂの方向へ移動させるように回転する。
【００３４】
動力伝達レバー２４０が矢印２００ｂの方向へ移動し、ディスク記録再生装置１００が図１１に示す状態になるとき、動力伝達レバー２４０の動力出力部２４２に設けられた出力ラック２４２ａがカム部材１１３を矢印２００ｃの方向に回転させる。したがって、図８に示すように、突起部材１１２の円柱部１１２ｂがカム部材１１３のカム溝部１１３ａに沿ってターンテーブル１１１の軸１１１ａから遠ざかる方向に移動させられ、突起部材１１２の突起部１１２ａが、ターンテーブル１１１の嵌合部１１１ｃから外部に突出する。
【００３５】
そして、突起部材１１２は、弾性部材１１４に形成された突起部材１１２と同数の曲げ部１１４ｂに、突起部１１２ａがターンテーブル１１１の軸１１１ａから遠ざかる方向に付勢されているので、ディスクの中心孔の内周部に係合し、ディスクをターンテーブル１１１に保持することができる。ここで、カム溝部１１３ａは、カム部材１１３の回転中心と突起部１１２ａとの間の距離が大きくなるに従って溝幅が広くなっているので、突起部１１２ａがターンテーブル１１１の軸１１１ａから遠ざかる方向に移動する際、複数の突起部１１２ａの何れかが先にディスクと係合したとしても、カム部材１１３は回転動作を継続することができる。したがって、ディスク記録再生装置２００においては、全ての突起部１１２ａがディスクと係合することが可能である。
【００３６】
また、ディスク記録再生装置２００が図１１に示す状態になると、動力伝達レバー２４０の凸部２４０ａによって付勢部材１５０のターンテーブル回転規制部１５０ａ（図２参照）がターンテーブル１１１の凹部１１１ｂ（図２参照）との係合を解除する方向に押圧され、ターンテーブル１１１の回転に対する規制が解除される。
【００３７】
ディスクの保持を解除する際には、再び切り替えレバー２９３が矢印２００ｄの方向に回動することによって、ディスク保持機構２１０は図９に示す状態に戻る。
【００３８】
このように本実施の形態では、弾性部材１１４を一部品で構成しているため、部品点数を増加させることなく、簡素な構成で組立て作業も容易となる。また、カム部材１１３のカム溝部１１３ａが、カム部材１１３の回転中心と突起部１１２ａとの間の距離が大きくなるに従って溝幅が広くなっているので、全ての突起部１１２ａがディスクと係合することができ、必要となるディスクの保持力を十分に確保することができる。さらに、切り替えレバー２９３による動作力を切り替えレバー２９３による動作力を回動レバー２９１を介して動力伝達レバー２４０に伝達し、ターンテーブル１１１上のディスクの保持、記録再生及び解除を行うことができるので、ピックアップ１２０に必要とされる動作の速度を確保することができ、精度の良い安定した記録再生を行うことができる。
【００３９】
なお、第１の実施の形態に係るディスク記録再生装置１００や、第２の実施の形態に係るディスク記録再生装置２００は、図１２に示すようなビデオレコーダ３００に用いられても良い。
【００４０】
図１２において、ビデオレコーダ３００の筺体３１０にはディスク記録再生装置１００又はディスク記録再生装置２００が一体又は脱着自在に設けられている。また、筺体３１０にはディスクの挿排口３２０及び表示パネル３３０が設けられている。また、筺体３１０でディスク記録再生装置１００（２００）の周辺には本体部に電源を供給する電源ユニット３４０、電源基板３５０、その他各種信号処理を構成する回路基板３６０が組み込まれており、筺体３１０の後部位置には冷却用ファン３７０が設置されている。
【００４１】
ビデオレコーダ３００は、簡素な構成で部品点数が増加されることなく、必要となるディスクの保持力を十分に確保し、且つピックアップに必要とされる動作の速度を確保し精度の良い安定した再生書き込み動作を行うことのできるディスク記録再生装置１００（２００）を内蔵しているので、安価でかつ耐振性および耐衝撃性が高く、高アクセス、高転送レートを実現することができる。
【産業上の利用可能性】
【００４２】
以上説明したように、本発明によれば、必要となるディスクの保持力と、ピックアップに必要とされる動作の速度とを十分に確保することによって、精度の良い安定した記録再生動作を行うことができるという効果を有し、例えばコンパクトディスク等のディスクの記録及び／又は再生を行うディスク記録再生装置等として有用である。
【図面の簡単な説明】
【００４３】
【図１】本発明の第１の実施の形態に係るディスク記録再生装置のディスク保持前の状態での概略平面図
【図２】図１のＡ矢視図
【図３】（ａ）図１に示すディスク記録再生装置のディスク保持機構のディスク保持前の状態での平面図  （ｂ）図３（ａ）のＢ−Ｂ断面矢視図
【図４】図３に示すディスク保持機構のカム部材及び突起部材の平面図
【図５】図３に示すディスク保持機構の弾性部材の斜視図
【図６】図１のＣ矢視図
【図７】図１に示すディスク記録再生装置のディスク保持後の状態での概略平面図
【図８】（ａ）図１に示すディスク記録再生装置のディスク保持機構のディスク保持後の状態での平面図  （ｂ）図８（ａ）のＤ−Ｄ断面矢視図
【図９】本発明の第２の実施の形態に係るディスク記録再生装置のディスク保持前の状態での概略平面図
【図１０】図９のＥ矢視図
【図１１】図９に示すディスク記録再生装置のディスク保持後の状態での概略平面図
【図１２】図１又は図９に示すディスク記録再生装置を備えたビデオレコーダの斜視図
【図１３】（ａ）従来のディスク記録再生装置のディスク保持前の状態での概略平面図  （ｂ）図１３（ａ）に示すディスク記録再生装置のディスク保持前の状態での概略側面図
【図１４】（ａ）図１３に示すディスク記録再生装置のディスク保持機構のディスク保持前の状態での平面図  （ｂ）図１４（ａ）のＦ−Ｆ断面矢視図
【図１５】（ａ）図１３（ａ）に示すディスク記録再生装置のディスク保持後の状態での概略平面図  （ｂ）図１３（ａ）に示すディスク記録再生装置のディスク保持後の状態での概略側面図
【図１６】（ａ）図１３に示すディスク記録再生装置のディスク保持機構のディスク保持後の状態での平面図  （ｂ）図１６（ａ）のＧ−Ｇ断面矢視図
【符号の説明】
【００４４】
１１２ａ      突起部
１１２      突起部材
１１３      カム部材
１１４      弾性部材（付勢手段）
１１０      ディスク保持機構
１００      ディスク記録再生装置
１１３ａ      カム溝部
１２０      ピックアップ
１２１      ピックアップ駆動用モータ（駆動手段）
１４０      動力伝達レバー（カム回転レバー）
１３３      切り替えギヤ（動力切り替え機構）
２４０      動力伝達レバー（カム回転レバー）
２９１      回動レバー
２９２      バネ（付勢回動手段）
２００      ディスク記録再生装置
３００      ビデオレコーダ
【図１】
2006221802.tif 000003
【図２】
2006221802.tif 000004
【図３】
2006221802.tif 000005
【図４】
2006221802.tif 000006
【図５】
2006221802.tif 000007
【図６】
2006221802.tif 000008
【図７】
2006221802.tif 000009
【図８】
2006221802.tif 000010
【図９】
2006221802.tif 000011
【図１０】
2006221802.tif 000012
【図１１】
2006221802.tif 000013
【図１２】
2006221802.tif 000014
【図１３】
2006221802.tif 000015
【図１４】
2006221802.tif 000016
【図１５】
2006221802.tif 000017
【図１６】
2006221802.tif 000018